(57)【要約】【課題】  自然木等のような不定型で不規則な形状のものに監視カメラ等を固定するカメラ等固定装置を提供する。【解決手段】  カメラ等固定装置が、カメラ等を収容するカメラ等収容部と、カメラ等収容部を保持するカメラ等収容部保持部と、カメラ等収容部保持部を保持するベース部と、ベース部を保持する固定部と、カメラ等収容部とカメラ等収容部保持部との間の相対的な位置を調整するための第１の位置調整手段と、カメラ等収容部保持部とベース部との間の相対的な位置を調整するための第２の位置調整手段と、ベース部と固定部との間の相対的な位置を調整するための第３の位置調整手段とを備え、第１から第３の位置調整手段が、それぞれ独立して相対的位置の調整を行うことができるようにする。【選択図】  図２
2008083634.tif 000002
【特許請求の範囲】
【請求項１】
カメラ等を収容するカメラ等収容部と、
該カメラ等収容部を保持するカメラ等収容部保持部と、
該カメラ等収容部保持部を保持するベース部と、
該ベース部を保持する固定部と、
前記カメラ等収容部と前記カメラ等収容部保持部との間の相対的な位置を調整するための第１の位置調整手段と、
前記カメラ等収容部保持部と前記ベース部との間の相対的な位置を調整するための第２の位置調整手段と、
前記ベース部と前記固定部との間の相対的な位置を調整するための第３の位置調整手段とを備え、前記第１から第３の位置調整手段が、それぞれ独立して相対的位置の調整を行うことができるカメラ等固定装置。
【請求項２】
請求項１のカメラ等固定装置において、前記第１の位置調整手段は、前記カメラ等収容部保持部に対し、前記カメラ等収容部を相対的に移動させること及び任意の位置に固定することを許容する第１の固定手段とを備えるカメラ等固定装置。
【請求項３】
請求項１のカメラ等固定装置において、前記第２の位置調整手段は、前記ベース部に対し、前記カメラ等収容部保持部を相対的に移動させること及び任意の位置に固定することを許容する第２の固定手段とを備えるカメラ等固定装置。
【請求項４】
請求項１のカメラ等固定装置において、前記第３の位置調整手段は、前記固定部に対し、前記ベース部を相対的に移動させること及び任意の位置に固定することを許容する第３の固定手段とを備えるカメラ等固定装置。
【請求項５】
カメラ等を収容するカメラ等収容部と、
該カメラ等収容部を保持するカメラ等収容部保持部と、
該カメラ等収容部保持部を保持するベース部と、
該ベース部を保持する固定部と、
前記カメラ等収容部と前記カメラ等収容部保持部との間の相対的な角度的位置を調整するための第１の位置調整手段と、
前記カメラ等収容部保持部と前記ベース部との間の相対的な角度的位置を調整するための第２の位置調整手段と、
前記ベース部と前記固定部との間の相対的な角度的位置を調整するための第３の位置調整手段とを備え、前記第１から第３の位置調整手段が、それぞれ独立して角度的位置の調整を行うことができるカメラ等固定装置。
【請求項６】
請求項５のカメラ等固定装置において、前記第１の位置調整手段は、前記カメラ等収容部保持部に対し前記カメラ等収容部を相対的に回転させるための第１の回転中心と、前記カメラ等収容部保持部に対し前記カメラ等収容部を任意の角度に固定する第１の固定手段とを備えるカメラ等固定装置。
【請求項７】
請求項５のカメラ等固定装置において、前記第２の位置調整手段は、前記ベース部に対し前記カメラ等収容部保持部を相対的に回転させるための第２の回転中心と、前記ベース部に対し前記カメラ等収容部保持部を任意の角度に固定する第２の固定手段とを備えるカメラ等固定装置。
【請求項８】
請求項５のカメラ等固定装置において、前記第３の位置調整手段は、前記固定部に対し前記ベース部を相対的に回転させるための第３の回転中心と、前記固定部に対し前記ベース部を任意の角度に固定する第３の固定手段とを備えるカメラ等固定装置。
【請求項９】
請求項１又は５のカメラ等固定装置において、前記カメラ等は、監視カメラ、音声入力装置、照明装置等のように指向性を有する装置であるカメラ等固定装置。
【請求項１０】
請求項１又は５のカメラ等固定装置において、前記固定部は、該カメラ等固定装置を自然木等に固定するために用いられるカメラ等固定装置。
【発明の詳細な説明】
【技術分野】
【０００１】
本発明は、三次元で位置調整可能なカメラ等の固定装置に関し、詳しくは、カメラ、マイクロフォン、照明装置等のように指向性のある装置を自然木等に固定するとともに、その固定の際にそれらのカメラ等の位置や角度を三次元で任意に調整可能なカメラ等固定装置に関する。
【背景技術】
【０００２】
電力会社等は、ダム、発電所、道路等を建設する場合、ダム等の建設による環境影響評価（環境アセスメント）を行うことが義務付けられることがある。環境アセスメントの一分野の自然環境調査では、ダム等の建設行為が陸生動物・植物に与える影響が調査され、特に、希少猛禽類（イヌワシ、クマタカ、オオタカ等）の生息調査に関して充分な調査を行うことが求められる。この生息調査は、希少猛禽類の営巣（繁殖状況）の監視と行動圏の調査とが主体となっている。営巣の監視によって、その地に生息する希少猛禽類の種類、個体数、餌の種類・量等が調査される。そして、ダム等が建設された後の環境下でも、希少猛禽類の生息に必要な餌の種類及び量が確保され、希少猛禽類の生態系に影響を与えないことを確認しなければならない。
【０００３】
一般に、このような動物の生息に対する継続的な監視は、遠隔操作のカメラシステムを利用して行われている。そして、希少猛禽類の営巣監視の場合、監視カメラシステムは、一般の監視カメラシステムとは異なる特殊な条件、例えば、ダム等の建設される山中まで容易に運搬可能であること、撮影カメラが希少猛禽類に対してストレスを与えないこと、さらに、その取り付け作業自体もストレスとなるので、短時間で完了しなくてはならないこと、特に冬季の厳寒な気象条件下においても安定して撮影が継続できること等が要求されている。
【０００４】
また、希少猛禽類の継続的な監視のためには、監視カメラシステム用の監視カメラを監視用のシステムから離れた位置に配置することが多く、また、その際には、監視カメラを専用の固定装置を用いて固定することが、運搬や環境に与える観点から困難であるため、一般に、監視カメラは自然木の幹や枝に固定しなければならないことが多い。
【特許文献１】特開２００１−１７３６１３
【特許文献２】特開２００４−２７９７５５
【特許文献３】特開２００４−３３６１８６  特許文献１には、水平板及び垂直板からなる本体枠によって支柱に監視カメラのような機器を固定する構成が開示されている。
【０００５】
特許文献２には、固定部と回転部とを備え、回転部にカメラハウジングが取り付けられた監視カメラ旋回装置が開示されている。
【０００６】
また、特許文献３には、ランナーによってレールに懸架される監視カメラの取付構造が開示されている。
【発明の開示】
【発明が解決しようとする課題】
【０００７】
いずれの特許文献にも、自然木のような不定型で不規則な形状に監視カメラ等を固定する構成は開示されていなく、また、監視カメラ等の向きを任意に調整できる構成も開示されていない。希少猛禽類の継続的な監視を目的として設置されるような監視カメラは、建造物のように、予め監視カメラを固定するための装置が設けられたところに設置されるのではないので、一般の監視カメラ等の固定の際には要求されないような固定の容易性や監視方向の調整の簡便性等の性能を有していなければならない。
【課題を解決するための手段】
【０００８】
本発明は、そのような課題を解決するもので、カメラ等固定装置が、カメラ等を収容するカメラ等収容部と、カメラ等収容部を保持するカメラ等収容部保持部と、カメラ等収容部保持部を保持するベース部と、ベース部を保持する固定部と、カメラ等収容部とカメラ等収容部保持部との間の相対的な位置を調整するための第１の位置調整手段と、カメラ等収容部保持部とベース部との間の相対的な位置を調整するための第２の位置調整手段と、ベース部と固定部との間の相対的な位置を調整するための第３の位置調整手段とを備え、第１から第３の位置調整手段が、それぞれ独立して相対的位置の調整を行うことができることを特徴とする。
【０００９】
第１の位置調整手段は、カメラ等収容部保持部に対し、カメラ等収容部を相対的に移動させること及び任意の位置に固定することを許容する第１の固定手段とを備えてもよい。
【００１０】
第２の位置調整手段は、ベース部に対し、カメラ等収容部保持部を相対的に移動させること及び任意の位置に固定することを許容する第２の固定手段とを備えてもよい。
【００１１】
第３の位置調整手段は、固定部に対し、ベース部を相対的に移動させること及び任意の位置に固定することを許容する第３の固定手段とを備えてもよい。
【００１２】
また、本発明に係るカメラ等固定装置は、カメラ等を収容するカメラ等収容部と、カメラ等収容部を保持するカメラ等収容部保持部と、カメラ等収容部保持部を保持するベース部と、ベース部を保持する固定部と、カメラ等収容部とカメラ等収容部保持部との間の相対的な角度的位置を調整するための第１の位置調整手段と、カメラ等収容部保持部とベース部との間の相対的な角度的位置を調整するための第２の位置調整手段と、ベース部と固定部との間の相対的な角度的位置を調整するための第３の位置調整手段とを備え、第１から第３の位置調整手段が、それぞれ独立して角度的位置の調整を行うことができることを特徴とする。
【００１３】
第１の位置調整手段は、カメラ等収容部保持部に対しカメラ等収容部を相対的に回転させるための第１の回転中心と、カメラ等収容部保持部に対しカメラ等収容部を任意の角度に固定する第１の固定手段とを備えてもよい。
【００１４】
第２の位置調整手段は、ベース部に対しカメラ等収容部保持部を相対的に回転させるための第２の回転中心と、ベース部に対しカメラ等収容部保持部を任意の角度に固定する第２の固定手段とを備えてもよい。
【００１５】
第３の位置調整手段は、固定部に対しベース部を相対的に回転させるための第３の回転中心と、固定部に対しベース部を任意の角度に固定する第３の固定手段とを備えてもよい。
【００１６】
カメラ等は、監視カメラ、音声入力装置、照明装置等のように指向性を有する装置であればどのようなものでもよい。
【００１７】
また、固定部は、カメラ等固定装置を自然木等に固定するために用いることができる。
【発明の効果】
【００１８】
本発明によると、自然木のように不特定で不規則な形状の幹や枝に容易に監視カメラ等を固定することができ、また、その固定の際に、監視カメラ等の向きの調整を三次元で容易かつ短時間に行うことができる位置調整可能なカメラ等固定装置を提供することができる。
【００１９】
また、監視カメラ等を固定した後に、位置調整手段によって監視カメラ等の向きの調整を三次元で行えばよいので、監視カメラ等の設置が容易であるカメラ等固定装置を提供することができる。
【００２０】
さらに、遠隔からパン／チルトなどの首振り制御が可能な可動式カメラでも、左右方向に傾いている自然木に取り付けた場合、画角が水平にならない事を考慮すると、それをも解決する本方式は非常に有効である。
【発明を実施するための最良の形態】
【００２１】
以下、本発明に係るカメラ等の固定装置の実施形態に関して添付の図面を参照しながら詳細に説明する。なお、図中、同じ構成要素に対しては同じ符号を付していて、重複した説明を省略している。
【００２２】
［カメラ等固定装置の構成］
（全体の概要）
図１は、本発明の一実施例に係るカメラ等固定装置１００の側面図である。また、図２は、そのカメラ等固定装置１００の一部を簡略化して示した斜視図である。それらの図に示すように、カメラ等固定装置１００は、カメラ収容ボックス１０と、カメラ収容ボックス保持部２０と、ベース部４０と、固定部６０とを備える。
（カメラ収容ボックス）
図３は、カメラ収容ボックス保持部２０から取り外したカメラ収容ボックス１０の側面図を示しており、また、図４は、図３に示すカメラ収容ボックス１０から、さらに、ボックス保持部１７を取り除いた状態を示す。ボックス保持部１７は、カメラ収容ボックス１０をカメラ収容ボックス保持部２０に取り付けるために使用する。
【００２３】
図４に示すように、カメラ収容ボックス１０は、内部にカメラ１８を収容するもので、レンズ部蓋部１２と本体部カバー部１４とからなる。レンズ部蓋部１２の端部１２ａは、本体部カバー部１４の端部１４ａに挿入されて、止め金具１５によって本体部カバー部１４に固定されている。レンズ部蓋部１２が本体部カバー部１４に挿入された部分にはパッキンが介挿されていて（図示せず）、雨水や埃等の侵入を防いでいる。
【００２４】
また、レンズ部蓋部１２の端部１２ａとは反対側の端部１２ｂの近くには、ガラス板等の透過板を斜めに固定したカバー部１１が設けられている。それにより、外部からの埃や雨滴等の進入を防ぐとともに外敵と勘違いしがちなレンズに反射する自分自身の姿を、被写体に見えない様にしている。また、図３及び図４に向かって右側の本体部カバー部１４の後端部１４ｂには背面蓋１６が設けられている。
【００２５】
背面蓋１６の近くの本体部カバー部１４の底面には、カメラ１８の同軸ケーブル（図示せず）が接続されたクランプ１３が設けられていて、これに、外部から、例えば、監視カメラシステムの画像記録装置のケーブルが接続される。
【００２６】
図５に示すように、カメラ１８は、カメラ本体部１８ａとカメラレンズ部１８ｂとカメラ固定部１８ｃとからなり、カメラ固定部１８ｃによってカメラ１８はカメラ収容ボックス１０の本体部カバー部１４の内部に固定されている。カメラ１８として、画ゆれ補正機能を有していて、一定の範囲の大きさの振動等に対して画像のブレを補正することができ、また、解像度の高い映像を得ることができるものが望ましい。このようなカメラとして、例えば、市場で商業的に入手可能な松下電器産業株式会社製のＶＰ多重カメラの型番ＷＶ−ＣＰ１８０のカメラを利用することができる。
【００２７】
図３に戻って説明を続けると、ボックス保持部１７は、カメラ収容ボックス１０の本体部カバー部１４の側面に４つのねじ１７ａによって固定されている。また、ボックス保持部１７には、図３に向かって上下方向に整列する３つのねじ孔１７ｂ−１，１７ｂ−２，１７ｂ−３が形成されていて、それぞれに、六角ボルトや蝶ねじ１９等が挿入されて、後述するように、カメラ収容ボックス１０をカメラ収容ボックス保持部２０（図１）に固定するとともに、その向きの調整を行うことができる。
【００２８】
また、図２に示すように、図３に示すボックス保持部１７と同様のものを、カメラ収容ボックス１０の本体部カバー部１４の反対側の側面に設けてある。
（カメラ収容ボックス保持部）
図６に示すように、カメラ収容ボックス保持部２０は、側面のカメラ支持部２２，２４と底面の回転台部２６とからなる。カメラ支持部２２，２４には、ねじやボルト等（図示せず）が挿入されて、カメラ収容ボックス１０を支持するとともにそれの回転中心となる回転中心孔２２ｂ，２４ｂが形成されている。また、カメラ支持部２２，２４には、逆Ｕ字状の開口部２２ａ，２４ａが形成されていて、そこには、カメラ１０を所定の角度の保持するための蝶ねじ等（例えば、図１及び２において符号「１９」で示すもの）が挿入される。
【００２９】
また、図６に示すように、カメラ支持部２２，２４は、回転台部２６の端部に直角に固定されており、それらの間の距離は、カメラ収容ボックス１０の幅方向の大きさに対応する。また、回転台部２６には、カメラ支持部２２，２４の回転中心孔２２ｂ，２４ｂと同様の回転中心孔３０が形成されている。その回転中心孔３０と対応するベース部４０上の所定の位置に、ねじ孔（図示せず）が設けられていて、それに回転中心孔３０に挿通されたねじやボルト等が螺合することによって、そのねじやボルト等を中心にカメラ収容ボックス保持部２０が回転することができる。また、回転台部２６にはカメラ支持部２２，２４の逆Ｕ字状の開口部２２ａ，２４ａと同様の逆Ｕ字状の開口部２８が形成されていて、ベース部４０上のその開口部２８に沿った任意の位置に形成されたねじ孔に螺号された例えば蝶ねじ２９を手で締めることによって、回転台部２６をベース部４０に対し任意の角度で固定することができる。
【００３０】
なお、図６に示すように、カメラ支持部２２，２４には、複数の開口２２ｃが形成されている。これらは、カメラ支持部２２，２４の軽量化を図るためである。
【００３１】
図７は、ベース部４０に対し、その図に向かって回転台部２６を少し左回りに回転させた状態を示す平面図である。その図に示すように、実線で示すカメラ収容ボックス保持部２０の回転台部２６は、ベース部４０と同じ位置で重なって整列した状態にあり、二点鎖線で示す回転台部２６’は、回転中心孔３０の周りに左回りに少し回転した状態にある。この状態で、図６に示すような蝶ねじ２９を締め付けると回転台部２６’をその角度に維持することができる。
（ベース部）
図８は、ベース部４０と固定部６０との関係を説明するための一部簡略化した斜視図である。ベース部４０は、図６に示すようにカメラ収容ボックス保持部２０の回転台部２６が取り付けられる基部４６と、図８に示すようにその両側端部から垂直下方に延出する補強板部４２，４４と固定部６０に対し回転可能な回転台部４９（図９）とを備える。
（固定部）
また、図８に示すように、固定部６０は、ベース部４０の回転台部４９が取り付けられる基部６６と、その基部６６の両側端部から垂直方向に延出する取付部６２，６４とを備える。取付部６２，６４には、取付孔６２ｂ，６４ｂが設けられていて、それらの取付孔を利用して、例えば、取付ベルト６２ａ等を用いて固定部６０を木の幹や枝８０等に縛り付ける。
【００３２】
図９は、固定部６０に対し、ベース部４０を少し回転させた状態のベース部４０’を示す正面図である。すなわち、図９は、図８において、左下方の位置から右上の方向を見た状態を示す。図８及び図９に示すように、ベース部４０は、固定部６０に対し、実線で示すベース部４０から二点鎖線で示すベース部４０'のように回転することができる。その回転のために、ベース部４０とカメラ収容ボックス保持部２０との関係と同様に、ベース部４０の回転台部４９には、そのベース部４０を支持するとともにその回転中心となるためのボルトやねじ等（図示せず）が挿入される回転中心孔５０が形成されている。また、回転台部４９には、逆Ｕ字状の開口部４８が形成されていて、そこには、基部６６に対しベース部４０を所定の角度で保持するための蝶ねじ６９が挿入される。
【００３３】
図９に示すように、実線で示すベース部４０の回転台部４９は、固定部６０の基部６６と同じ向きに重なって整列した状態にあり、二点鎖線で示す回転台部４９’は、回転中心孔５０を中心に右回りに少し回転した状態にある。この状態で、蝶ねじ６９を手で締め付けると回転台部４９’をその位置に固定することができる。すなわち、ベース部４０を図９に示すように固定部６０に対し右回りに一定角度回転させた位置に保持することができる。
（位置調整手段）
カメラ収容ボックス１０とカメラ収容ボックス保持部２０との間の相対的な位置関係を調整する第１の位置調整手段は、ボックス保持部１７のねじ孔１７−ｂ２及び１７ｂ−３と、カメラ支持部２２，２４の回転中心孔２２ｂ，２４ｂ及び逆Ｕ字状の開口部２２ａ，２４ａと、ねじ孔１７ｂ−３及び回転中心孔２２ｂ，２４ｂに挿入されたボルトやねじ等と、逆Ｕ字状の開口部２２ａ，２４ａに挿入された蝶ねじ等とを備え、ねじ孔１７ｂ−３、回転中心孔２２ｂ，２４ｂ及びそれらに挿入されたボルトやねじ等によって回転中心を画定し、逆Ｕ字状の開口部２２ａ，２４ａ及びそれに挿入された蝶ねじ等によって固定手段を画定している。
【００３４】
カメラ収容ボックス保持部２０とベース部４０との間の相対的な位置関係を調整する第２の位置調整手段は、回転台部２６の回転中心孔３０及び開口部２８と、基部４６のそれらに対応する位置に設けられた孔と、それらに挿入されたボルトやねじ等及び蝶ねじ２９とを備え、回転台部２６の回転中心孔３０、それに対応する位置に設けられた基部４６の孔及びそれらに挿入されたボルトやねじ等によって回転中心を画定し、開口部２８及びそれに挿入された蝶ねじ等２９によって固定手段を画定している。
【００３５】
ベース部４０と固定部６０との間の相対的な位置関係を調整する第３の位置調整手段は、回転台部４９の回転中心孔５０及び開口部４８と、基部６６のそれらに対応する位置に設けられた孔と、それらに挿入されたボルトやねじ等及び蝶ねじ６９とを備え、回転台部４９の回転中心孔５０、それに対応する位置に設けられた基部６６の孔及びそれらに挿入されたボルトやねじ等によって回転中心を画定し、開口部４８及びそれに挿入された蝶ねじ等６９によって固定手段を画定している。
【００３６】
［カメラ等固定装置の取り付け方法の一例］
カメラ等固定装置の取り付け方法は、簡略化して述べると、まず、固定部６０を木の幹や枝等に固定し、次に、ベース部の向きを調整し、次に、カメラ収容ボックス保持部２０の向きを調整し、最後に、カメラ収容ボックス１０の向きを調整してカメラの撮影方向を定めるようにする。
【００３７】
具体的に説明すると、カメラ１８が監視用カメラの場合、まず、図８に示すように、取付ベルト６２ａ等を用いて固定部６０を木の幹や枝８０等に縛り付ける。次に、図９に示す蝶ねじ６９を緩めて、回転中心孔５０を中心に、ベース部４０の回転台部４９を固定部６０の基部６６上で回転することによって、ベース部４０の基部４６の面の傾斜角度が適切な角度となるように調整する。角度が定まった時点で、蝶ねじ６９を締め付けて、ベース部４０を例えば図９のベース部４０’の位置に固定する。
【００３８】
次に、図７に示す蝶ねじ２９を緩めて、回転中心孔３０を中心に、カメラ収容ボックス保持部２０の回転台部２６をベース部４０の基部４６上で回転して、カメラ収容ボックス保持部２０の回転台部２６の面の傾斜角度や方向が適切な角度や向きとなるように調整する。角度が定まった時点で、蝶ねじ２９を締め付けて、カメラ収容ボックス保持部２０をその角度に維持する。
【００３９】
次に、図２に示す蝶ねじ１９を緩めて、回転中心孔２２ｂ，２４ｂの周りをカメラ収容ボックス１０を回転して、カメラ１８のレンズを監視方向に向ける。その状態で蝶ねじ１９を手で締め付けると、カメラ１８を適切な向きに固定することができる。
【００４０】
このように、カメラ収容ボックス１０とカメラ収容ボックス保持部２０との間にある第１の位置調整手段によって、カメラ収容ボックス１０を概略鉛直面内で任意の角度に向けることができ、カメラ収容ボックス保持部２０とベース部４０との間の第２の位置調整手段によって、カメラ収容ボックス１０を概略水平面内で任意の角度に向けることができ、さらに、ベース部４０と固定部６０との間の第３の位置調整手段によって、カメラ収容ボックス１０を、第１の位置調整手段によって調整可能な鉛直面と直交する鉛直面内で任意の角度に向けることができる。
【００４１】
従って、この固定装置によると、三次元の任意の角度に容易にカメラ等を固定することができる。
【００４２】
［固定装置の利用例］
図１０は、カメラ等固定装置１００を用いて希少猛禽類２００を観察する場合の監視システム構成を説明するための図である。その監視システムは、希少猛禽類２００を撮影するためのカメラを収容したカメラ等固定装置１００と、電源並びに伝送及びシーンレコーダ・ユニット１２０と、回線１３０と、パーソナルコンピュータ（以下、単に「ＰＣ」という。）１４０とを備える。
【００４３】
カメラ等固定装置１００は、希少猛禽類２００の営巣の状況を正確に撮影できるように、希少猛禽類２００に近接した距離、例えば、約１０ｍ程度離れた地点に設置される。カメラ等固定装置１００は、希少猛禽類２００の巣の近くに素早く固定する必要があるため、例えば、自然木や鉄塔等の高所に短時間で容易に設置できなければならない。そのため、上記のように、固定部を自然木，鉄塔等に固定した後に、第１から第３の位置調整手段をそれぞれ調整することによってカメラを希少猛禽類２００に向けるようにする。
【００４４】
電源並びに伝送及びシーンレコーダ・ユニット１２０は、カメラ等固定装置１００のカメラやＰＣ１４０等に電力を供給するとともに、カメラで撮影した映像データを記録・伝送を行うもので、電源部と映像データ記録部とを備え、更に所望により、映像データ伝送部を備える。
【００４５】
電源部として、第１ソーラーパネル群と、これに接続された第１バッテリユニットと、第２ソーラーパネル群と、これに接続された第２バッテリユニットとを有する。第１ソーラーパネル群及び第２ソーラーパネル群は、各々、複数枚のソーラーパネルを備える。各々のソーラーパネルは、同じ発電容量のものでもよく、或いは異なる発電容量のものであってもよい。
【００４６】
カメラケーブル１１０は、カメラ等固定装置１００内のカメラ１８と電源並びに伝送及びシーンレコーダ・ユニット１２０との間を接続するもので、最長３００ｍの長さを有する。このカメラケーブル１２０によって、カメラ１８から映像信号が伝送され、また、カメラ１８に対して電力が供給される。
【００４７】
［他の構成例］
上記の実施例では、回転中心孔２２ｂ，２４ｂ，３０，５０に挿通されるボルトやねじ等は、それぞれに対応する位置に形成されたボックス保持部１７のねじ孔１７ｂ−３、基部４６のねじ孔、基部６６のねじ孔に取り付けられるが、そのボルトやねじ等は、回転中心となる軸心として機能すればよいので、基本的には、そのボルトやねじ等は締め付けを行う必要はなく、その周りを所定の部材が空転できればよい。そのため、ボルトやねじ等の代わりに、回転中心となる円柱状のものを所定の位置に固定するようにしてもよい。
【００４８】
また、蝶ねじと逆Ｕ字状の開口部との組合せに代えて、例えば、相対的に移動させる２つの部材に角度的に等間隔に孔を設け、それらの孔の組み合せることによって２つの部材の位置関係を変更し、その場合に整列した２つの孔にピン等を差し込んでそれらの２つの部材を固定するようにしてもよい。
【００４９】
上記の実施例では、監視カメラの例で説明したが、監視カメラに限られるものではなく、指向性のあるマイクロフォンのような入力手段や、所定の方向を照らす照明ランプを任意の方向に固定するために用いてもよい。
【００５０】
［その他］
以上説明した実施形態は、例示であって、本発明はこれに限定されるものではない。また、当業者が日常的になしえる実施形態に対する追加、削除、変更、改良等は、本発明に含まれる。本発明の技術的範囲は、添付の特許請求の範囲の記載によって定められる。
【図面の簡単な説明】
【００５１】
【図１】図１は、本発明の一実施例に係るカメラ等固定装置の側面図である。
【図２】図２は、図１に示すカメラ等固定装置の一部を簡略化して示した斜視図である。
【図３】図３は、図１に係るカメラ等固定装置のカメラ収容ボックスの側面図である。
【図４】図４は、図３に示すカメラ収容ボックスからボックス保持部を取り除いた状態を示す側面図である。
【図５】図５は、図１に係るカメラ等固定装置に収容されているカメラの側面図である。
【図６】図６は、図１に係るカメラ等固定装置のカメラ収容ボックス保持部とベース部とを示す斜視図である。
【図７】図７は、図１に係るカメラ等固定装置において、ベース部に対し回転台部を少し回転させた状態を示す平面図である。
【図８】図８は、ベース部と固定部との関係を説明するための一部簡略化した斜視図である。
【図９】図９は、図１に係るカメラ等固定装置において、固定部に対し、ベース部を少し回転させた状態のベース部を示す正面図である。
【図１０】図１０は、カメラ等固定装置を用いて希少猛禽類を観察する場合の監視システム構成を説明するための図である。
【符号の説明】
【００５２】
１００・・・・カメラ等固定装置
１０・・・・・カメラ収容ボックス
１９，２９，６９・・・蝶ねじ
２０・・・・・カメラ収容ボックス保持部
２２ａ，２８，４８・・・開口部
２２ｂ，２４ｂ，３０，５０・・・回転中心孔
４０・・・・・ベース部
６０・・・・・固定部
【図１】
2008083634.tif 000003
【図２】
2008083634.tif 000004
【図３】
2008083634.tif 000005
【図４】
2008083634.tif 000006
【図５】
2008083634.tif 000007
【図６】
2008083634.tif 000008
【図７】
2008083634.tif 000009
【図８】
2008083634.tif 000010
【図９】
2008083634.tif 000011
【図１０】
2008083634.tif 000012